(57)【要約】【課題】装置の動作状態を容易に把握できる携帯端末装置及び表示方法を提供する。【解決手段】携帯端末装置が備える機能の状態を確認する状態確認手段と、状態確認手段による確認結果を、動作中のゲーム機能およびテレビ機能の少なくとも一方を維持したまま画面表示部に一覧表示する一覧表示手段と、を備える携帯端末装置、および、携帯端末装置の機能の状態を確認するステップと、確認するステップによる確認結果を、動作中のゲーム機能およびテレビ機能の少なくとも一方を維持したまま画面表示部に一覧表示するステップと、を備える表示方法により解決する。【選択図】      図１
2014027674.tif 000002
【特許請求の範囲】
【請求項１】
携帯端末装置が備える機能の状態を確認する状態確認手段と、
前記状態確認手段による確認結果を、動作中のゲーム機能およびテレビ機能の少なくとも一方を維持したまま画面表示部に一覧表示する一覧表示手段と、を備えることを特徴とする携帯端末装置。
【請求項２】
前記状態確認手段は、特定のキー操作により前記機能の状態を確認する動作を開始することを特徴とする請求項１記載の携帯端末装置。
【請求項３】
前記一覧表示手段により表示された機能が選択されると、前記選択された機能の設定変更画面を表示する表示手段を備える請求項１又は２記載の携帯端末装置。
【請求項４】
前記一覧表示手段により表示された機能が選択されると、前記選択された機能の詳細説明を表示する詳細説明表示手段を備える請求項１から３のいずれか１項記載の携帯端末装置。
【請求項５】
前記特定キー操作は、前記画面表示部にいかなる画面が表示されている場合でも、前記状態確認手段が前記動作を開始するように指示することを特徴とする請求項２から４のいずれか１項記載の携帯端末装置。
【請求項６】
前記一覧表示手段は、受信から一定時間内の未読メールを対象とした未読メール有無情報を表示することを特徴とする請求項１から５のいずれか１項記載の携帯端末装置。
【請求項７】
前記一覧表示手段は、通知から一定時間内の通知済みアラーム通知やスケジュール通知を対象とした通知有無情報を表示することを特徴とする請求項１から６のいずれか１項記載の携帯端末装置。
【請求項８】
前記一覧表示手段は、電池寿命に影響のあるタスクのうち起動中のタスクを対象とするタスク情報を表示することを特徴とする請求項１から７のいずれか１項記載の携帯端末装置。
【請求項９】
前記一覧表示手段は、少なくとも、未読メール、不在着信、留守録、アラーム設定、アラーム通知、スケジュール設定、スケジュール通知等の有無情報、異常・警報アイテム、起動しているタスク情報のいずれか１以上を表示することを特徴とする請求項１から８のいずれか１項記載の携帯端末装置。
【請求項１０】
携帯端末装置の機能の状態を確認するステップと、
前記確認するステップによる確認結果を、動作中のゲーム機能およびテレビ機能の少なくとも一方を維持したまま画面表示部に一覧表示するステップと、を備えることを特徴とする表示方法。
【発明の詳細な説明】
【技術分野】
【０００１】
本発明は、携帯端末装置及び表示方法に関し、特に各種ステータス情報を一覧表示する携帯端末装置及び表示方法に関するものである。
【背景技術】
【０００２】
昨今の携帯電話やＰＨＳ等の携帯端末装置は、単なる「電話（通話機能）」だけではなく、メール、ゲーム、ストップウォッチ・万歩計（登録商標）等の便利ツール、Ｍｕｓｉｃ Ｐｌａｙｅｒ、Ｂｌｕｅｔｏｏｔｈ（登録商標）通信、ＷＬＡＮ通信等の機能を備える。これらの機能の動作状況をユーザに知らせる表示方法として、例えばメールのアイコンを表示することや（例えば特許文献１参照）、メール着信等のイベントが発生した場合に、画面上にポップアップを出し、その中で「メール着信」等の情報を表示し、それを選択することでメール読み出しに移行すると言う技術が知られている。
【０００３】
しかしながら、多数のイベントが発生し、あるイベントの画面に遷移したため、ポップアップ画面が消えてしまい、残りのイベントが分からなかったり、アイコンは表示されているが、小さくてその表現を理解できなかったり、類似アイコンが多々ありそれらを判別することが難しかったり、滅多に出ることがないアイコンである場合はその意味が分からない等の問題があった。
【０００４】
そこで、表示されているアイコンにカーソルを当てるとその意味が表示されるという機能が提案されている（図１参照）。また、折畳み型携帯電話での折畳み開閉をトリガーにして、フリップが閉状態から開状態となったときに、未読みメール等の情報を表示する技術が知られている（例えば特許文献２参照）。
【先行技術文献】
【特許文献】
【０００５】
【特許文献１】特開２００３−３０４３２０号公報
【特許文献２】特開２００６−２７９６６４号公報
【発明の概要】
【発明が解決しようとする課題】
【０００６】
しかしながら、上記のような技術には、以下の問題点がある。表示されているアイコンにカーソルを当て、その意味が表示される技術は、アイコン表示が待ち受け画面でしかされないため、ゲーム中やメール読み書き中等では、一旦、待ち受け画面に戻ってから確認する等の操作が必要であった。また、折畳み型携帯電話での折畳み開閉をトリガーにして、未読みメール等の情報を表示する技術は、開閉時しか情報が表示されないことや、メールのステータスが未読みである場合は全て表示されるため、前日に受信した古くて見る必要のないメールに対しても未読みの場合は表示されてしまうといった問題があった。
【０００７】
また、複数のタスクを同時に起動することが可能な携帯電話が知られているが、ユーザの気がつかないところで（例えば、メール読み書き中や、ｗｅｂや写真閲覧の裏）Ｍｕｓｉｃ  Ｐｌａｙｅｒ、Ｂｌｕｅｔｏｏｔｈ、ストップウォッチ、ＪＡＶＡ（登録商標）等が動作している場合があり、不要な電力を消費し、電池寿命を短くする場合があった。
【０００８】
本発明はこのような状況に鑑みてなされたものであり、装置の動作状態を容易に把握できる携帯端末装置及び表示方法を提供することを目的とする。
【課題を解決するための手段】
【０００９】
本発明の第１の装置は、携帯端末装置が備える機能の状態を確認する状態確認手段と、状態確認手段による確認結果を、動作中のゲーム機能およびテレビ機能の少なくとも一方を維持したまま画面表示部に一覧表示する一覧表示手段と、を備える
本発明の第１の方法は、携帯端末装置、および、携帯端末装置の機能の状態を確認するステップと、確認するステップによる確認結果を、動作中のゲーム機能およびテレビ機能の少なくとも一方を維持したまま画面表示部に一覧表示するステップと、を備える。
【発明の効果】
【００１０】
本発明によれば、装置の動作状態を容易に把握できる携帯端末装置及び表示方法を提供することができる。
【図面の簡単な説明】
【００１１】
【図１】関連する表示画面の一例を示す図である。
【図２】本発明の実施例に係る携帯端末装置１のデバイス配置の一例を示す図である。
【図３】本発明の実施例に係る携帯端末装置のブロック構成を示す図である。
【図４】本発明の実施例に係る動作処理を示すフローチャートである。
【図５】本発明の実施例に係るステータスチェックの具体的動作処理を示すフローチャートである。
【図６】本発明の実施例に係るステータスチェックの具体的動作処理を示すフローチャートである。
【図７】本発明の実施例に係るステータスチェックの具体的動作処理を示すフローチャートである。
【図８】本発明の実施例に係るステータスチェックの具体的動作処理を示すフローチャートである。
【図９】本発明の実施例に係るステータスチェックの具体的動作処理を示すフローチャートである。
【図１０】本発明の実施例に係るステータスチェックの具体的動作処理を示すフローチャートである。
【図１１】本発明の実施例に係るステータスチェックの具体的動作処理を示すフローチャートである。
【図１２】本発明の実施例に係るステータスチェックの具体的動作処理を示すフローチャートである。
【図１３】本発明の実施例に係るステータスチェックの具体的動作処理を示すフローチャートである。
【図１４】本発明の実施例に係る携帯端末の表示部２の表示例を示す図である。
【図１５】本発明の実施例に係る携帯端末の表示部２の表示例を示す図である。
【発明を実施するための形態】
【００１２】
以下に、本発明の実施例について図面を用いて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【００１３】
図２は、本発明の実施例に係る携帯端末装置１のデバイス配置の一例を示す図である。携帯端末装置１は、少なくとも表示部２と操作部３から構成される。なお、本願発明は図２に示すデバイス配置に限られることはなく、図２に示した携帯端末装置とは異なるデバイス配置となっている携帯端末装置、例えばストレート型やスライド型の携帯端末装置も本願発明の範囲内となる。
【００１４】
図３は、本発明の実施例に係る携帯端末装置のブロック構成を示す図である。携帯端末装置１は、少なくとも無線部４、表示部３、プログラム等が保存されているメモリ部６を含む制御部５、キースイッチ等からなる操作部２、レシーバ部７、スピーカ８から構成される。
【００１５】
次に、本実施例の動作処理について説明する。図４は、本実施例の動作処理を示すフローチャートである。本実施例は、ある特定キーの操作で、各種ステータス（携帯端末装置が備える各種機能の状態）をチェックし、結果を一覧表示する。一覧の中から所望のアイテムが選択されると、該当機能へＪｕｍｐするという特徴を持つ。以下詳述する。
【００１６】
特定キーが操作されると（ステップＳ１／Ｙｅｓ）、各種ステータスのチェックを行う（ステップＳ２）。特定キーとは、ステータスチェックを開始するためのキーであり、専用キーを備える他、決定キーやメニューキーを長押下等することで特定キーとしても良い。特定キー操作は、どの表示画面からでも操作できることが望まく、本実施例では、決定キー（●キー）の長押下とする。
【００１７】
ステータスチェックとは、携帯端末装置が備える各種機能の動作状態をチェックすることであるが、具体的には図５〜図１３に示す動作処理を行うことである。図５〜図１３に示す処理は、ステータスチェックの一例であり、これら全てのチェックを必ずしも行う必要はなく、例えばユーザの所望により予めどのステータスチェックを行うか設定することも可能である。
【００１８】
図１４は、本実施例に係る携帯端末の表示部２の表示例を示す図である。待ち受け画面１０のステータスバーには複数のアイコンが表示されている。また、画面上にも留守録のアイコンが表示されている。
【００１９】
特定キーが決定キーの長押である場合、待ち受け画面１０の状態から決定キー長押（●長押）により、ステータスチェックが実行され、ステータス一覧画面１１に遷移する。ステータス一覧画面１１上には、ステータスチェックの結果として、異常・警報アイテムの電池残量、メモリ残量、電池寿命に影響のあるタスクのＢｌｕｅｔｏｏｔｈ、音楽再生中、ストップウォッチ、情報としてアラーム通知（１４：００）が表示されている。これらを見て、ユーザは電池残量が少ないので充電することや、Ｂｌｕｅｔｏｏｔｈは使用していないのでＯｆｆにすること等を考え、一覧表から操作したいアイテムを選択することが出来る。例えば、操作部に備えられた十時キーを下方向に操作し（▼キーを押下し）、カーソルを選択したいアイテムに合わせる。ＢｌｕｅｔｏｏｔｈをＯｆｆする場合であれば、▼キーを２回押下しカーソルを２段下げ、●キー押下で選択すると、Ｂｌｕｅｔｏｏｔｈ Ｏｎ／Ｏｆｆの設定画面１３へ遷移する。
【００２０】
なお、図１４では、待ち受け画面１０からの操作であるが、ゲーム（ＪＡＶＡ）中や、テレビを見ている等、どんな状態の画面からでも、●キー長押下等でステータス一覧画面１１を呼び出すことが可能である。テレビ視聴中に、メール着信があった場合、ポップアップにて通知されることが知られているが、テレビに集中したいため、そのポップアップを消して視聴を継続することが多々ある。そこで、コマーシャルの間にメールを確認しようとする場合、テレビ画面が表示されている状態のまま●キーを長押下することで、ステータス一覧画面１１が表示され、そこに表示されるメール着信を選択すると該当メールが読み出せるという効果を有する。
【００２１】
ステータスチェック後、その結果を一覧表示する（ステップＳ３）。カーソルを合わせた後、決定キーを押下する等でアイコン選択を決定する。アイコンが選択されると（ステップＳ４／Ｙｅｓ）、該当処理へＪｕｍｐする（ステップＳ５）。Ｊｕｍｐとは、ショートカットで該当機能（選択されたアイコン）の設定・動作画面に遷移することを意味する。設定・動作画面では、機能の設定変更等、例えばＢｌｕｅｔｏｏｔｈのＯｎ／Ｏｆｆ設定を行うが（図１４の設定画面１３参照）、これらは通常の操作処理であるため、説明は省略する。
【００２２】
一方、ステータスチェック一覧が表示された後、アイテム選択されなかった場合は（ステップＳ４／Ｎｏ）、終了操作が行われるか（ステップＳ６／Ｙｅｓ）無操作タイマーアップした場合に（ステップＳ７／Ｙｅｓ）終了となる。
【００２３】
次に、ステータスチェック（ステップＳ２）の各実施例について説明する。
［未読メール件数チェック］
図５は、メールの未読件数のカウント動作処理を示すフローチャートである。まず、未読件数をクリアし（ステップＳ２０）、メールの未読チェックを実行する（ステップＳ２１）。未読メールがあった場合（ステップＳ２１／Ｙｅｓ）、未読メールを受信してから一定時間（例えば８時間）経過したか否かをチェックする（ステップＳ２２）。経過していなければ（一定時間内であれば）（ステップＳ２２／Ｎｏ）未読件数を加算し（ステップＳ２３）、さらに他の未読メールをチェックする（ステップＳ２４／Ｙｅｓ）。
【００２４】
未読メールがなくなるまでステップＳ２２〜Ｓ２３の処理を繰り返す。未読メールがなくなれば（ステップＳ２４／Ｎｏ）未読メール件数チェックの動作処理は終了する。
［不在着信件数チェック］
図６は、不在着信件数のカウント動作処理を示すフローチャートである。まず、不在着信件数をクリアし（ステップＳ２５）、不在着信有無のチェックを実行する（ステップＳ２６）。不在着信を見つけた場合（ステップＳ２６／Ｙｅｓ）、着信から一定時間（例えば８時間）経過したか否かをチェックする（ステップＳ２７）。経過していなければ（一定時間内であれば）（ステップＳ２７／Ｎｏ）不在着信件数を加算し（ステップＳ２８）、さらに他の不在着信をチェックする（ステップＳ２９／Ｙｅｓ）。
【００２５】
不在着信がなくなるまでステップＳ２７〜Ｓ２９を繰り返す。不在着信がなくなれば（ステップＳ２９／Ｎｏ）不在着信件数チェック動作処理は終了する。
［留守録件数チェック］
図７は、留守録件数のカウント動作処理を示すフローチャートである。まず、留守録件数をクリアし（ステップＳ３０）、留守録チェックを実行する（ステップＳ３１）。留守録を見つけた場合（ステップＳ３１／Ｙｅｓ）、留守録の着信から一定時間（例えば４時間）経過したか否かをチェックする（ステップＳ３２）。経過していなければ（一定時間内であれば）（ステップＳ３２／Ｎｏ）留守録件数を加算する（ステップＳ３３）。さらに、他の留守録をチェックする（ステップＳ３４）。
【００２６】
留守録がなくなるまでステップＳ３２〜Ｓ３４を繰り返す。留守録がなくなれば（ステップＳ３４／Ｎｏ）留守録件数チェック動作処理は終了する。
［アラーム設定件数チェック］
図８は、アラーム設定件数のカウント動作処理を示すフローチャートである。まず、アラーム設定件数をクリアし（ステップＳ３５）、アラーム設定有無のチェックを実行する（ステップＳ３６）。アラーム設定を見つけた場合（ステップＳ３６／Ｙｅｓ）、アラーム設定件数を加算する（ステップＳ３７）。さらに、他のアラーム設定をチェックする（ステップＳ３８）
これをアラーム設定がなくなるまでステップＳ３６〜Ｓ３８を繰り返す。アラーム設定がなくなれば（ステップＳ３８／Ｎｏ）アラーム設定件数チェック動作処理は終了する。
［アラーム通知件数チェック］
図９は、アラーム通知件数のカウント動作処理を示すフローチャートである。まず、アラーム通知件数をクリアし（ステップＳ４０）、アラーム通知有無のチェックを実行する（ステップＳ４１）。アラーム通知を見つけた場合（ステップＳ４１／Ｙｅｓ）、通知から一定時間（例えば１時間）経過したか否かをチェックする（ステップＳ４２）。経過していなければ（一定時間内であれば）（ステップＳ４２／Ｎｏ）アラーム通知件数を加算する（ステップＳ４３）。さらに、他のアラーム通知をチェックする（ステップＳ４４）。
【００２７】
アラーム通知がなくなるまでステップＳ４１〜Ｓ４４を繰り返す。アラーム通知がなくなれば（ステップＳ４４／Ｎｏ）アラーム通知件数チェック動作処理は終了する。
［スケジュール設定件数チェック］
図１０は、スケジュール設定件数のカウント動作処理を示すフローチャートである。まず、スケジュール設定件数をクリアし（ステップＳ４５）、スケジュール設定有無のチェックを実行する（ステップＳ４６）。スケジュール設定を見つけた場合（ステップＳ４６／Ｙｅｓ）、スケジュール設定件数を加算する（ステップＳ４７）。
【００２８】
スケジュール設定がなくなるまでステップＳ４６〜Ｓ４８を繰り返す。スケジュール設定がなくなれば（ステップＳ４８／Ｎｏ）スケジュール設定件数チェック動作処理は終了する。
［スケジュール通知件数チェック］
図１１は、スケジュール通知件数のカウント動作処理を示すフローチャートである。まず、スケジュール通知件数をクリアし（ステップＳ５０）、スケジュール通知有無のチェックを実行する（ステップＳ５１）。スケジュール通知を見つけた場合（ステップＳ５１／Ｙｅｓ）、通知から一定時間（例えば１時間、或いはスケジュール予定時刻）経過したか否かをチェックする（ステップＳ５２）。経過していなければ（一定時間内であれば）（ステップＳ５２／Ｎｏ）スケジュール通知件数を加算する（ステップＳ５３）。さらに、他のスケジュール通知をチェックする（ステップＳ５４）。
【００２９】
スケジュール通知がなくなるまでステップＳ５１〜Ｓ５４を繰り返す。スケジュール通知がなくなれば（ステップＳ５４／Ｎｏ）スケジュール通知件数チェック動作処理は終了する。
［異常・警報有無チェック］
図１２は、異常・警報有無チェック動作処理を示すフローチャートである。まず、全フラグをクリアし（ステップＳ５５）、電池残量が一定レベル（例えば、電池バー１本、残り時間が８ｈ等）以下か否かのチェックを実行する（ステップＳ５６）。以下だった場合は（ステップＳ５６／Ｙｅｓ）電池アラートフラグを立てる（ステップＳ５７）。問題なかった場合は（ステップＳ５６／Ｎｏ）次のチェックへ遷移する。
【００３０】
次に、メモリ残量が一定レベル（例えば、１０％等）以下か否かのチェックを実行する（ステップＳ５８）。以下だった場合は（ステップＳ５８／Ｙｅｓ）、メモリフルフラグを立てる（ステップＳ５９）。問題なかった場合は（ステップＳ５８／Ｎｏ）次のチェックへ遷移する。
【００３１】
次に、ＧＰＳ感度が一定レベル（例えば、測位レベル４等）以下か否かのチェックを実行する（ステップＳ６０）。以下だった場合は（ステップＳ６０／Ｙｅｓ）ＧＰＳ利用不可フラグを立てる（ステップＳ５８）。問題なかった場合は（ステップＳ６０／Ｎｏ）、動作処理を終了する。
【００３２】
なお、異常・警報有無チェックとして、電池残量、メモリ残量、ＧＰＳ感度についてチェックしたが、他にも例えばＷＬＡＮ感度、端末温度、各デバイス不良等も考えられ、携帯電話の仕様に応じてチェック項目を増減することが可能である。
［複数のタスクの動作有無チェック］
図１３は、複数のタスクの動作有無チェックの動作処理を示すフローチャートである。全フラグをクリアし（ステップＳ１０）、Ｍｕｓｉｃ  Ｐｌａｙｅｒが再生中か否かのチェックを実行する（ステップＳ１１）、再生中だった場合はＭｕｓｉｃ  Ｐｌａｙｅｒフラグを立て（ステップＳ１２）、停止だった場合は次のチェックへ遷移する。
【００３３】
次に、Ｂｌｕｅｔｏｏｔｈが動作中か否かのチェックを実行する（ステップＳ１３）。動作中だった場合はＢｌｕｅｔｏｏｔｈフラグを立て（ステップＳ１４）、停止だった場合は次のチェックへ遷移する。
【００３４】
次に、ストップウォッチが動作中か否かのチェックを実行する（ステップＳ１５）。動作中だった場合はストップウォッチフラグを立て（ステップＳ１６）、停止だった場合は次のチェックへ遷移する。
【００３５】
次に、ＪＡＶＡが動作中か否かのチェックを実行する（ステップＳ１７）、動作中だった場合はＪＡＶＡフラグを立て（ステップＳ１８）、停止だった場合は処理を終了する。
【００３６】
なお、図１３でチェックを実施したＭｕｓｉｃ  Ｐｌａｙｅｒ、Ｂｌｕｅｔｏｏｔｈ、ストップウォッチ、ＪＡＶＡは、携帯端末装置の電池寿命に影響を及ぼす動作として選定している。本実施例記載以外でも、ＷＬＡＮ、テレビ、ラジオ等のチェックが考えられ、携帯端末装置の仕様に応じて様々な動作のチェックが可能である。
【００３７】
上記実施例により、特定のキー操作でステータス一覧が表示されるため、待ち受け画面等に表示されるアイコンの意味が分からなかったり、出ていたポップアップが消えてしまったりした場合でもユーザはそれらの意味を簡単に知ることが可能になる。
【００３８】
また、ステータス一覧には、例えば、未読みメール、不在着信、留守録、アラーム設定、アラーム通知、スケジュール設定、スケジュール通知等の情報に加え、異常・警報アイテムや起動しているタスク情報を一覧表示することが可能であるため、様々な情報の一覧を簡単に知ることが出来る。
【００３９】
また、着信後から一定時間内の未読みメールのみを特定キー操作で一覧表示することにより、未読みメールの中で最近着信した新しい未読みメールを見落とすことがなくなる。
【００４０】
また、通知から一定時間内のアラームやスケジュールを一覧表示することにより、アラーム通知やスケジュール通知を見過ごしてしまったり、通知を消してしまったりした場合でも、容易にその内容を再確認することができる。
【００４１】
また、電池寿命に影響のあるタスクであって、かつ起動中のタスクのみを特定キー操作で一覧表示することにより、複数のタスクを同時に起動することが可能な携帯端末装置で、操作中の機能（メール読み書き中や、ｗｅｂや写真閲覧等）の裏で、Ｍｕｓｉｃ  Ｐｌａｙｅｒ、Ｂｌｕｅｔｏｏｔｈ、ストップウォッチ、ＪＡＶＡ等が動作し、これらの動作にユーザが気付かないまま、不要な電力を消費し、電池寿命を短くなってしまうことを防止する。
【００４２】
また、他の実施例として図１５に示すような表示画面が考え得る。これは、上述した実施例で用いた図１４に対し、設定画面１４に説明文を併記している点が異なる。
【００４３】
上記実施例により、一覧表示のアイテムを選択がされると、画面が遷移し、前記選択されたアイコンの詳細説明が表示されるため、一覧表示されている個々のアイテムの意味を容易に知ることが出来、ユーザが次に何をすれば良いのかが分かるようになる。
【００４４】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４５】
以上、本発明を好適な実施例に基づき具体的に説明したが、本発明は上記のものに限定されるものではなく、その要旨を逸脱しない範囲で種々変更可能であることは言うまでもない。
【符号の説明】
【００４６】
１    携帯端末装置
２    表示部
３    操作部
４    無線部
５    制御部
６    メモリ部
７    レシーバ部
８    スピーカ
１０    待ち受け画面
１１、１２    ステータス一覧画面
１３、１４    設定画面
【図１】
2014027674.tif 000003
【図２】
2014027674.tif 000004
【図３】
2014027674.tif 000005
【図４】
2014027674.tif 000006
【図５】
2014027674.tif 000007
【図６】
2014027674.tif 000008
【図７】
2014027674.tif 000009
【図８】
2014027674.tif 000010
【図９】
2014027674.tif 000011
【図１０】
2014027674.tif 000012
【図１１】
2014027674.tif 000013
【図１２】
2014027674.tif 000014
【図１３】
2014027674.tif 000015
【図１４】
2014027674.tif 000016
【図１５】
2014027674.tif 000017